(57)【要約】【課題】  本願発明は、籾摺運転及び精米運転を行うのに適した精米設備を提供することを課題とする。【解決手段】  外壁で覆われる箱体形状の小屋（１）内に、玄米を収容する玄米収容室（Ｔ）と、精米機（５）を設け、  小屋（１）外に設置する籾摺機（９）から排出される玄米を玄米供給パイプ（１８）で玄米収容室（Ｔ）内に供給する構成とし、  玄米収容室（Ｔ）を形成する外壁に玄米供給パイプ（１８）を貫通する貫通孔を形成したことを特徴とする精米設備とする。【選択図】  図１
2018199110.tif 000002
【特許請求の範囲】
【請求項１】
外壁で覆われる箱体形状の小屋内に、玄米を収容する玄米収容室と、精米機を設け、
小屋外に設置する籾摺機から排出される玄米を玄米供給パイプで玄米収容室内に供給する構成とし、
玄米収容室を形成する外壁に玄米供給パイプを貫通する貫通孔を形成したことを特徴とする精米設備。
【請求項２】
精米機から精白米を排出する側の外壁を着脱自在に構成したことを特徴とする請求項１記載の精米設備。
【請求項３】
小屋の底部にフォークリフトの爪を挿入可能な脚部を設けたことを特徴とする請求項１又は請求項２記載の精米設備。
【請求項４】
小屋内に玄米に混じる石を選別する石抜機を設け、石抜機には、選別された石を一時貯留する石用貯留室と、石用貯留室を開閉する開閉シャッタと、開閉シャッタと、開閉シャッタを開閉操作する開閉用レバーを設け、
開閉用レバーの先端を前記外壁を貫通する構成とすることを特徴とする請求項１から請求項３のいずれかに記載の精米設備。
【発明の詳細な説明】
【技術分野】
【０００１】
本発明は、精米設備に関する。
【背景技術】
【０００２】
精米機を搭載した箱型の小屋を屋外に設置する精米設備が特許文献１に記載されている。
【０００３】
また、籾摺機と精米機を内部に搭載した建屋を屋外に設置する籾摺精米設備が特許文献２に記載されている。
【０００４】
特許文献１及び特許文献２の精米設備は、屋外の特定の所定の箇所に設置することで、不特定多数の利用が玄米や籾を持参して当該精米設備に行って精白米にする。そして、当該精米設備には、通常、管理人は常駐しておらず無人である。そのため、精米機を搭載する機械室内に、利用者が入れないように外壁で覆われている。
【先行技術文献】
【特許文献】
【０００５】
【特許文献１】特許第５４７１９５０号公報
【特許文献２】特許第５６２１９６３号公報
【発明の概要】
【発明が解決しようとする課題】
【０００６】
本願発明は、籾摺運転及び精米運転を行うのに適した精米設備を提供することを課題とする。また、精米設備をトラック等の荷台に搭載していろいろな場所に運搬し易くすることを課題とする。
【課題を解決するための手段】
【０００７】
かかる課題を解決するために、請求項１記載の発明は、
外壁で覆われる箱体形状の小屋（１）内に、玄米を収容する玄米収容室（Ｔ）と、精米機（５）を設け、
小屋（１）外に設置する籾摺機（９）から排出される玄米を玄米供給パイプ（１８）で玄米収容室（Ｔ）内に供給する構成とし、
玄米収容室（Ｔ）を形成する外壁に玄米供給パイプ（１８）を貫通する貫通孔を形成したことを特徴とする精米設備とする。
【０００８】
これにより、籾摺機のタイプに関わらず、籾摺機で籾摺りされた玄米を簡単な構成で玄米収容室に供給できる。
【０００９】
請求項２記載の発明は、
精米機から精白米を排出する側の外壁を着脱自在に構成したことを特徴とする請求項１記載の精米設備とする。
【００１０】
これにより、精白米を収容する収容容器を設置し易い。
【００１１】
請求項３記載の発明は、
小屋（１）の底部にフォークリフトの爪を挿入可能な脚部（３５）を設けたことを特徴とする請求項１又は請求項２記載の精米設備とする。
【００１２】
これにより、精米設備をトラックの荷台に搭載して、所望の場所に運搬して精米運転を行うことができる。
【００１３】
請求項４記載の発明は、
小屋（１）内に玄米に混じる石を選別する石抜機（３）を設け、石抜機（３）には、選別された石を一時貯留する石用貯留室（２０）と、石用貯留室（２０）を開閉する開閉シャッタ（２２）と、開閉シャッタ（２２）を開閉操作する開閉用レバー（２３）を設け、
開閉用レバー（２３）の先端を前記外壁を貫通する構成とすることを特徴とする請求項１から請求項３のいずれかに記載の精米設備とする。
【００１４】
これにより、開閉シャッタを操作し易い。
【発明の効果】
【００１５】
本発明により、籾摺運転及び精米運転を行うのに適した精米設備を提供することを課題とする。また、精米設備をトラック等の荷台に搭載していろいろな場所に運搬し易くすることができる。
【図面の簡単な説明】
【００１６】
【図１】平面から見た精米設備内部の装置のレイアウトを示す図
【図２】正面から見た精米設備内部の装置のレイアウトを示す図
【図３】精米機側の側面から見た精米設備内部の装置のレイアウトを示す図
【図４】正面から見た精米運転時の状態を示す図
【図５】籾摺機の内部を示す図
【図６】石抜機の内部を示す図
【図７】異物選別機の内部を示す図
【発明を実施するための形態】
【００１７】
本発明の実施の形態の精米設備について以下説明する。
【００１８】
外壁で覆われる箱型の小屋１の室内には、玄米を収容する玄米用投入ホッパ２と、玄米に混じる石を除去する石抜機３と、玄米に混じる藁屑等の異物を選別して除去する異物選別機４と、玄米を精米する精米機５と、精米機５から排出された精白米に混じる小米を選別する小米選別機６と、玄米を搬送するバケットコンベア式の昇降機を備える。昇降機は、玄米用投入ホッパ２内の玄米を石抜機３に搬送する第１昇降機７と、石抜機３で石を除去された玄米を精米機５に搬送する第２昇降機８を備えている。
【００１９】
精米機５は、米の表面を研ぐ研米式の精米機（図示せず）と、研米式の精米機を通過した米を互いに擦りあわせて精米する摩擦式の精米機（図示せず）とを備えるのが望ましい。
【００２０】
玄米用投入ホッパ２の底部には、玄米用投入ホッパ２内の玄米を第１昇降機７に供給するロータリバルブ１０を設ける。また、玄米用投入ホッパ２から上方に延びる囲い板１１を設け、玄米収容室Ｔを形成している。
【００２１】
籾摺機９とは、籾を籾摺りして玄米にして排出する装置である。本実施の形態では、籾摺機９は小屋１の外側方に配置している。
【００２２】
次に、小屋１の室内に搭載する各装置の内、籾摺機９、石抜機３、異物選別機４の構成について説明する。
【００２３】
籾摺機９の構成について説明する。
【００２４】
籾を投入する籾用投入ホッパ１２の下方に、籾を籾摺りする籾摺ロール１３を設ける。籾摺ロール１３で除去された籾殻を風選する風選室１４及び籾殻を吸引して機外に排出する吸引ファン１５を設ける。籾摺りされた玄米と玄米に混じる籾を比重選別する揺動選別板１６を設ける。揺動選別板１６で選別された玄米を排出する玄米搬送用の昇降機１７と、玄米搬送用の昇降機１７から排出される玄米を小屋１に案内する玄米供給パイプ１８を設ける。
【００２５】
石抜機３について説明する。
【００２６】
玄米と玄米に混じる石を選別する石抜用の揺動選別板１９を設ける。石抜用の揺動選別板１９の上流側には選別された石を一時的に貯留する石用貯留室２０を設ける。石抜用の揺動選別板１９の下流側には選別された玄米を排出する玄米排出口２１を設ける。石用貯留室２０は開閉シャッタ２２を設け、開閉シャッタ２２を開閉用レバー２３の操作により開閉する。開閉シャッタ２２が開くと、石用貯留室２０内の石は落下して石用貯留箱Ｈに収容される構成である。
【００２７】
異物選別機４は玄米と藁屑等の長尺物を選別する揺動選別網２４を設ける。揺動選別網２４を通過した玄米が流下する玄米通路２５と、玄米通路２５を流下した玄米が排出する玄米排出筒２６を設ける。揺動選別網２４を通過しない藁屑等の異物を排出する異物排出筒２７を設ける。
【００２８】
次に、図１に基づいて小屋１の室内の配置について説明する。
【００２９】
室内の前部の左右一側には玄米用投入ホッパ２を設ける。玄米用投入ホッパ２の左右内側の側方には第１昇降機７を設ける。第１昇降機７の側方には石抜機３を設ける。石抜機３の後方には、異物選別機４を設ける。異物選別機４の後方には、異物選別機４を通過した玄米を搬送する第２昇降機８を設ける。石抜機３、及び異物選別機４の側方には精米機５を配置している。精米機５の前側には、小米選別機６を設けている。
【００３０】
すなわち、室内の前部の左右一側には玄米用投入ホッパ２を配置する。石抜機３及び異物選別機４を室内の左右中央部で、かつ、前後の中央部に配置する。第２昇降機８を室内の後部の左右中央部に設ける。室内の左右他側には精米機５と小米選別機６を配置する。石抜機３の前方には、各装置用の運転スイッチを備える配電盤２８を収容する配電盤室２９を設けている。
【００３１】
小屋１の構造について説明する。
【００３２】
小屋１は、床部３０と、床部３０から上方に延びる複数の柱３１と、複数の柱３１で支持される天井部３２と、前壁３３と、側壁３４と、フォークリフト（図示せず）の爪（図示せず）を挿入する脚部３５を備える。前壁３３は玄米収容室Ｔの前方を覆う第１前壁３３ａと、精米機５の前方を覆う第２前壁３３ｂと、石抜機３の前方を覆う第３前壁３３ｃと、配電盤２９の前方を覆う第４前壁３３ｄと、第３前壁３３ｃと第４前壁３３ｄの間にある第５前壁３３ｅを設ける。第５前壁３３ｅは石抜機３の開閉用レバー２３が貫通し、開閉用レバー２３の先端部には開閉用レバー２３を操作する操作ハンドル２３ａを設けている。側壁３４は、玄米用投入ホッパ２の側方の第１側壁３４ａと、精米機５の側方の第２側壁３４ｂとを備える。第１側壁３４ａには玄米供給パイプ１８を貫通するための貫通孔３６を形成している。また、第１側壁３４ａの貫通孔３６に対向する位置の囲い板１１にも貫通孔１１ａを形成し、玄米供給パイプ１８の先端が第１側壁３４ａの貫通孔３６と、囲い板１１の貫通孔１１ａを貫通することで、玄米収容室Ｔ内に位置するように構成している。第１側壁３４ａの貫通孔３６には、非運転時には蓋（図示せず）で覆うことでネズミ等が侵入しないように構成している。本実施の形態では、第１側壁３４ａと囲い板１１それぞれに貫通孔を形成するが、第１側壁３４ａに対向する側の囲い板１１を設けずに第１側壁３４ａが玄米収容室Ｔを形成する一部として構成しても良い。
【００３３】
第１前壁３３ａから第５前壁３３ｅ及び第１側壁３４ａと第２側壁３４ｂはそれぞれ着脱自在に構成している。
【００３４】
次に、籾摺作業及び精米作業について説明する。
【００３５】
オペレータは、小屋１及び籾摺機９をトラックの荷台（図示せず）等で運搬し、作業場所で籾摺機９及び小屋１をフォークリフト（図示せず）で荷台から降ろして所望の場所に設置する。
【００３６】
そして、第２前壁３３ｂを取り外して精白米用の収容容器３７を小屋１の前側に載置すると共に、第２側壁３４ｂを取り外して小米用の収容容器３８を設置する。また、精米機５に接続する糠搬送用パイプ３９を、第２側壁３４ｂを取り外した後に生じる空間４０から取り出し、その先端部にあるサイクロン４１を糠収容場所に設置する。また、籾摺機９の玄米供給パイプ１８を貫通孔３６及び１１ａに差し込み、その先端を玄米収容室Ｔ内に設ける。
【００３７】
収穫した籾を籾摺機９に投入して籾摺処理された玄米は、玄米供給パイプ１８を経て玄米収容室Ｔ内に供給され、玄米用投入ホッパ２に収容される。玄米用投入ホッパ２内の玄米はロータリバルブ１０で第１昇降機７に繰り出され、次いで、第１昇降機７で石抜機３に搬送される。玄米は石抜機３を通過することで、玄米に混じる石を除去され、次いで、異物選別機４を通過することで、玄米に混じる藁屑等の異物が除去される。
【００３８】
異物選別機４を通過した玄米は、第２昇降機８で精米機５に搬送される。そして、精米機５で精米運転された精白米は、小米選別機６に供給され、整粒の精白米に混じる小米や砕米が除去される。小米選別機６を通過した精白米は、精白米排出案内板４２を流下して精白米用の収容容器３７に収容される。小米選別機６で選別された小米や砕米は小米用の収容容器３８に収容される。精米運転で発生した糠は糠搬送用パイプ３９で糠収容場所Ｂまで搬送される。ある程度の量を精米運転したら、オペレータは操作ハンドル２３ａを操作して開閉シャッタ２２を開き、石用貯留室２０内に一時貯留されている石を石用貯留箱Ｈに排出する。
【００３９】
本実施の形態のその他の構成について説明する。
【００４０】
小屋の後壁４４を着脱自在に構成することで、小屋１の室内の後部のメンテナンススペースを確保しても良い。
【００４１】
なお、図４の第１前壁３４ａから第５前壁３４ｅには模様が付されているが、これは、便宜上壁の区別を示すものであって、形状を示すものではない。
【００４２】
本実施の形態の効果について説明する。
【００４３】
本実施の形態によると、籾摺運転から精米運転まで連続して行うことができる。
【００４４】
また、トラック等の荷台で運搬し易いので、オペレータはいろいろな場所で籾摺及び精米運転を行うことができる。また、籾摺運転及び精米運転を行わないときには、前壁３３及び後壁３４を取り付けて小屋１の内部を略密閉にすることができるため小屋１の室内にネズミが侵入することを防止できる。また、トラック等で小屋１を運搬するときに、雨天でも運搬できる。
【００４５】
また、前壁３３、側壁３４、後壁４４を着脱可能とすることで、小屋１の室内のメンテナンススペースを確保することができる。
【００４６】
また、籾摺機９から供給される玄米供給パイプを貫通孔３６に通すだけで良いので籾摺機９の設置が簡単である。また、いろいろなタイプの籾摺機に対応できる。
【００４７】
また、運転時は、第２前壁３３ｂと第２側壁３４ｂを取り外すだけで良いので作業場所での小屋１の設置が迅速にできる。
【００４８】
また、石用貯留室の開閉シャッタを操作ハンドル２３ａで操作するとき、前側から操作できるので操作し易い。
【符号の説明】
【００４９】
１  小屋
３  石抜機
５  精米機
９  籾摺機
１８  玄米供給パイプ
２０  石用貯留室
２２  開閉シャッタ
２３  開閉用レバー
３５  脚部
Ｔ  玄米収容室
【図１】
2018199110.tif 000003
【図２】
2018199110.tif 000004
【図３】
2018199110.tif 000005
【図４】
2018199110.tif 000006
【図５】
2018199110.tif 000007
【図６】
2018199110.tif 000008
【図７】
2018199110.tif 000009